(57)【要約】【課題】遊技者周りの遊技環境の向上を低コストで行うことが可能で、しかも、遊技機の運転設備が設置しやすい遊技機用ブースを提供する。【解決手段】遊技機Ｕａを支持する支持構造体２に接続して使用される遊技機用ブース１であって、支持構造体２上部に接続されたブース用フレーム体１Ａと、ブース用フレーム体１Ａの内部に収納された空調装置Ａとを備え、ブース用フレーム体Ａの前面が遊技機Ｕａ前面よりも前方に突出するように配置されることを特徴とする。【選択図】図１
2007175146.tif 000002
【特許請求の範囲】
【請求項１】
遊技機を支持する支持構造体に接続して使用される遊技機用ブースであって、
前記支持構造体の上部に接続されたブース用フレーム体と、
前記ブース用フレーム体の内部に収納された空調装置とを備え、
前記ブース用フレーム体の前面が前記遊技機の前面よりも前方に突出するように配置されることを特徴とする遊技機用ブース。
【請求項２】
前記ブース用フレーム体は、
内部に前記空調装置を収納する収納枠部と、
前記収納枠部の下面に配置され、少なくとも一部に貫通孔を設けた底板と、
前記収納枠部を前記支持構造体の上部に接続する接続部とを備えることを特徴とする請求項１に記載の遊技機用ブース。
【請求項３】
前記ブース用フレーム体は、その内部に収納した前記空調装置と共に、空気清浄機、換気扇および人感センサの少なくとも１つが収納されていることを特徴とする請求項１または請求項２に記載の遊技機用ブース。
【発明の詳細な説明】
【技術分野】
【０００１】
本発明は、パチンコ台、パチスロ台、テレビゲーム機等の遊技機を支持する支持構造体の上部に接続して使用される遊技機用ブースに関するものである。
【背景技術】
【０００２】
従来からパチンコ台、パチスロ台、テレビゲーム機等の遊技機が設置されている遊技場においては、一般に、複数台の遊技機が１つの支持構造体によって支持されて遊技島を形成し、この遊技島が複数配設されている。そして、遊技場内の温度調節は、特許文献１に記載されているように、遊技場の天井に設置された複数の空調装置によって行われている。すなわち、各遊技島周りの温度調節、さらには遊技者毎の温度調節は、その遊技島の頭上に設置された１台の空調装置が分担し、その空調装置に設けられた風向調整部材を動作させて、風の吹き出し方向を変えることによって行われている。
【０００３】
また、特許文献１では、空調された空気を導くダクトを設け、ダクトの一端を空調装置に繋ぎ、ダクトの他端を各遊技機に設けられた吹き出し口にダクトを分岐させて繋いだ形態のものが記載されている。そして、吹き出し口には、風量調整部材および開口調整部材の少なくとも一方が設けられ、風量調整部材および開口調整部材の少なくとも一方を動作させて、遊技者毎の風量を調整している。
【特許文献１】特開２００５−８０７６３号公報（段落０２３４、０２３９、図３３、図３５）
【発明の開示】
【発明が解決しようとする課題】
【０００４】
しかしながら、天井に設置された空調装置では、遊技者との間に距離があり、遊技者が快適に遊技できる温度調節をするためには、強い風量が必須であった。そのため、空調装置の運転コスト（電気代等）が高くなり、温度調整等の遊技者周りの遊技環境の向上を低コストで行うことができないという問題があった。
【０００５】
また、ダクトを使用した形態のものでも、風量の低減は期待できず、遊技機（吹き出し口）にダクトが繋がれているため、遊技機の運転設備（例えば、遊技機がパチンコ台では、玉循環装置または玉供給装置）を設置する際、ダクトが邪魔になり、かえって運転設備が設置しにくいという問題があった。さらに、風量調整部材等が設けられた吹き出し口を遊技機が有すると、遊技機の構造が複雑になると共に、遊技機の製造コストが高くなるという問題も生じる。
【０００６】
本発明は、前記の問題を鑑みてなされたものであり、遊技者周りの遊技環境の向上を低コストで行うことが可能で、しかも、遊技機の運転設備が設置しやすい遊技機用ブースを提供することを目的とする。
【課題を解決するための手段】
【０００７】
前記課題を解決するために、請求項１の発明は、遊技機を支持する支持構造体に接続して使用される遊技機用ブースであって、前記支持構造体の上部に接続されたブース用フレーム体と、前記ブース用フレーム体の内部に収納された空調装置とを備え、前記ブース用フレーム体の前面が前記遊技機の前面よりも前方に突出するように配置される遊技機用ブースとして構成したものである。
【０００８】
このように構成すれば、空調装置を収納するブース用フレーム体が支持構造体の上端部に接続され、ブースの前面が遊技機の前面よりも前方に突出するように配置されることにより、遊技機の前面側に設置された椅子に座った遊技者の頭上の少し高い位置に空調装置が配置されることとなる。その結果、遊技者と空調装置との距離が短くなり、従来のように空調装置を天井に設置した場合に比べて、空調装置の風量を弱くしても、遊技者周りの温度が、快適に遊技できる温度（快適温度）に調節される。また、空調装置と遊技機とを接続するダクト等を設ける必要がないため、支持構造体の上部に広い空間が形成され、遊技機の運転設備を設置する空間が確保される。
【０００９】
請求項２の発明は、前記ブース用フレーム体は、内部に前記空調装置を収納する収納枠部と、前記収納枠部の下面に配置され、少なくとも一部に貫通孔を設けた底板と、前記収納枠部を前記支持構造体の上部に接続する接続部とを備える遊技機用ブースとして構成したものである。
【００１０】
このように構成すれば、ブース用フレーム体が、空調装置を収納する収納枠部と、支持構造体に接続する接続部とを備えることにより、収納枠部が、接続部を介して、支持構造体に支持された遊技機の前面よりも前方側に突出するように配置される。その結果、空調装置が、遊技者の頭上により一層配置しやすくなり、遊技者と空調装置との距離がより一層短くなる。それによって、空調装置の風量をより一層弱くしても、遊技者周りの温度が快適温度に調節される。また、支持構造体の上部により一層広い空間が形成され、遊技機の運転設備を設置する空間が確保される。さらに、空調装置で空調された空気は、底板に設けられた貫通孔から遊技者の頭上に供給される。その際、貫通孔により空調された空気の風向および風量が調整される。
【００１１】
請求項３の発明は、前記ブース用フレーム体は、その内部に収納した前記空調装置と共に、空気清浄機、換気扇および人感センサの少なくとも１つが収納されている遊技機用ブースとして構成したものである。
【００１２】
このように構成すれば、ブース用フレーム体に収納された空気清浄機、換気扇および人感センサの少なくとも１つが遊技者の頭上の少し高い位置に配置される。このような配置により、空調装置と同様に、遊技者と空気清浄機または換気扇との距離が短くなり、従来のように空気清浄機または換気扇を天井に設置した場合に比べて、空気清浄機または換気扇の吸引量を弱くしても、遊技者周りの空気清浄度が改善される。すなわち、空気清浄機または換気扇の吸引量を弱くしても、遊技者が喫煙した際の煙草の煙およびにおいが空気清浄機または換気扇によって吸引される。また、遊技機の前面側に設置された椅子に座った遊技者に人感センサが反応し、その反応に応じて人感センサと電気的に接続された空調装置、空気清浄機、換気扇が起動する。その結果、遊技者が椅子に座っているときだけ、空調装置、空気清浄機、換気扇が稼働し、稼動時間が短くなる。
【発明の効果】
【００１３】
本発明の請求項１に係る遊技機用ブースによれば、ブース用フレーム体に収納された空調装置が遊技者の頭上の少し高い位置に配置され、空調装置の風量を弱くできるため、遊技者周りの温度（遊技環境）の向上を低コストで行うことが可能となる。また、支持構造体の上部に広い空間が形成されるため、遊技機の運転設備を設置する空間が確保され、運転設備が設置しやすくなる。
【００１４】
また、請求項２に係る遊技機用ブースによれば、空調装置を収納する収納枠部が接続部を介して支持構造体に接続されるため、空調装置を遊技者の頭上の少し高い位置に配置しやすくなり、空調装置の風量をより一層弱くできるため、遊技者の周りの温度（遊技環境）の向上をより一層低いコストで行なうことが可能となる。また、支持構造体の上部により一層広い空間が形成されるため、運転設備を設置する空間が確保され、運転設備がより一層設置しやすくなる。さらに、貫通孔により空調された空気の風向、風量が調整されるため、遊技者周りの温度（遊技環境）の向上をより一層低いコストで行うことが可能となる。
【００１５】
また、請求項３に係る遊技機用ブースによれば、ブース用フレーム体に収納された空気清浄機、換気扇および人感センサの少なくとも１つが遊技者の頭上の少し高い位置に配置される。その結果、空気清浄機または換気扇の吸引量を弱くできるため、遊技者周りの空気清浄度（遊技環境）の向上を低コストで行うことが可能となる。すなわち、遊技者周りが煙くなって煙草臭くなったりすることを回避できる。また、隣席の煙草の煙の影響を受け難い。また、遊技者が椅子に座っているときだけ、空調装置、空気清浄機、換気扇が起動するため、温度調節等の遊技者周りの遊技環境の向上をさらに一層低コストで行うことが可能となる。
【発明を実施するための最良の形態】
【００１６】
次に、本発明の実施の形態について、図１〜図４を参照して、説明する。図１は遊技機用ブースの斜視図、図２は遊技機用ブースの平面図、図３は遊技機用ブースの側面図、図４は遊技機用ブースの分解斜視図である。
【００１７】
本発明において、遊技機とは、パチンコ台、パチスロ台、テレビゲーム機等に代表されるものである。また、遊技機には、遊技機を使用するためのパチンコ玉またはコイン等を貸出するための貸出機を並設したものも含まれる。そして、本発明に係る遊技機用ブース（以下、単にブースと称す）が接続する支持構造体は、１つの支持構造体に１台の遊技機を支持する形態だけでなく、図１、図２に示すように、支持構造体２の表裏側に複数の遊技機Ｕａ、Ｕｂを支持する形態、または、同一構成の支持構造体２を複数並設して、複数の遊技機Ｕａ、Ｕａ・・・（Ｕｂ、Ｕｂ・・・）を表側または表裏側で支持する形態も含めることとする。複数の支持構造体２を並設する場合には、後記する支持構造体２の支持柱３ａ、３ａ・・・の１本を重複して使用する形態、図示しないが支持柱３ａ間に連結部（間柱等）を設ける形態のいずれの形態でもよい。また、支持構造体２に支持される複数の遊技機Ｕａ、Ｕａ・・・（Ｕｂ、Ｕｂ・・・）は、前記したパチンコ台、パチスロ台、テレビゲーム機等から選択された１種、すなわち、同種の遊技機であってもよいし、２種以上の遊技機であってもよい。
【００１８】
図１に示すように、本発明に係る遊技機Ｕａを支持する支持構造体２に接続して使用されるブース１は、ブース用フレーム体１Ａと、空調装置Ａとを備える。以下、各構成について説明する。
＜ブース用フレーム体＞
図１、図３に示すように、ブース用フレーム体１Ａは、支持構造体２の上部に接続され、その前面が、支持構造体２に支持された遊技機Ｕａの前面よりも前方に突出するように配置されている。ここで、前面とは、遊技者Ｍと対面する側の表面を意味する。
【００１９】
図３に示すように、ブース用フレーム体１Ａの前面が遊技機Ｕａの前面よりもて前方に配置されることにより、ブース用フレーム体１Ａの内部に収納された後記する空調装置Ａが、遊技機Ｕａの前面側に設置された椅子Ｅに座った遊技者Ｍの頭上の少し高い位置に配置されることとなる。その結果、遊技者Ｍと空調装置Ａとの距離が短くなり、空調装置Ａの風量を弱くしても、遊技者Ｍ周りの温度を快適温度に調節可能となる。また、空調装置Ａが前方に突出したブース用フレーム体１Ａの内部に収納されるため、遊技機Ｕａに空調された空気を供給するためのダクト等を設ける必要がない。その結果、支持構造体２の上部に広い空間が形成され、遊技機Ｕａの運転設備（図示しないが、例えば、遊技機Ｕａがパチンコ台では玉循環装置または玉供給装置）を設置する空間が確保され、運転設備が設置しやすくなる。
【００２０】
なお、遊技機Ｕａと背中合わせになるように遊技機Ｕｂを支持し、遊技機Ｕｂ側にもブース１（ブース用フレーム体１Ａ）を配置した場合にも、同様に、空調装置Ａの風量を弱くしても、遊技者Ｍ周りの温度を快適温度に調節可能となると共に、遊技機Ｕｂの運転設備を設置する空間が確保され、運転設備が設置しやすくなる。
【００２１】
図４に示すように、ブース用フレーム体１Ａは、収納枠部１ａと、底板１ｃと、接続部１ｂとを備えることが好ましい。以下、各構成について説明する。
【００２２】
以下では、遊技機Ｕａ側に配置されたブース用フレーム体１Ａについて説明し、遊技機Ｕｂ側に配置されたブース用フレーム体１Ａについては、その構成、作用が遊技機Ｕａ側に配置されたブース用フレーム体１Ａと同様であるので、説明を省略する。なお、遊技機Ｕａ側、遊技機Ｕｂ側のそれぞれにブース１（ブース用フレーム体１Ａ）を配置した場合には、ブース用フレーム体１Ａが接続される支持構造体２の剛性を高めるために、２つのブース用フレーム体１Ａ、1Ａを連結する連結梁５を設けることが好ましい。
【００２３】
（収納枠部）
図３、図４に示すように、収納枠部１ａは、前記支持構造体２の上部に庇状に設けられ、その内部に後記する空調装置Ａを収納するものである。そして、収納枠部１ａの内部には、空調装置Ａの収納空間が形成され、底部が開口した四角形状の筒状体であって、鉄鋼、ステンレス鋼等の金属によって形成されている。収納枠部１ａの断面形状は、図４では四角形状を記載したが、空調装置Ａを収納できれば、四角形状に限定されず、楕円を含む円形状または多角形状であってもよい。
【００２４】
図１に示すように、収納枠部１ａは、遊技機Ｕａを支持する支持構造体２の幅、具体的には支持柱３ａ、３ａ間の距離に略等しい長さＬ１に形成されることが好ましい。しかしながら、収納枠部１ａの内部に空調装置Ａを収納できれば、前記長さＬ１より短く形成してもよい。また、支持構造体２が複数の遊技機Ｕａ、Ｕａ・・・を支持する場合には、収納枠部１ａは、遊技機Ｕａを隣接して支持する最左端の支持柱３ａと最右端の支持柱３ａ間の距離に略等しい長さＬ２に形成することが好ましい。なお、図示しないが、１台の遊技機Ｕａに対応した長さＬ１に形成された収納枠部１ａを、支持される遊技機Ｕａの個数分だけ、支持構造体２（支持柱３ａ）の上端部に接続、配置してもよい。すなわち、図１において、支持構造体２（支持柱３ａ）の上端部に、３つの収納枠部１ａを接続、配置することを意味する。
【００２５】
図２、図３に示すように、収納枠部１ａは、支持構造体２の上部に後記する接続部１ｂを介して庇状に設けられた際に、収納枠部１ａの前面が遊技機Ｕａの前面よりも前方に突出し、かつ、収納枠部１ａに収納された空調装置Ａが遊技機Ｕａの前面に設置された椅子Ｅの上方に、すなわち、椅子Ｅに座った遊技者Ｍの頭上に配置されるのに十分な幅Ｗに形成されていることが好ましい。
【００２６】
図３、図４に示すように、収納枠部１ａの内部には、鉄鋼、ステンレス鋼等の金属によって形成され、空調装置Ａを取付けるための樋状の棚部１ｄが設けられていることが好ましい。なお、空調装置Ａを収納枠部１ａの上部内面に直接接続する場合には、棚部１ｄを設けなくてもよい。
【００２７】
（底板）
図３、図４に示すように、底板１ｃは、収納枠部１ａの下面を密閉するように配置され、鉄鋼、ステンレス鋼等の金属によって形成された板材である。また、底板１ｃは、その少なくとも一部に所定の大きさの貫通孔１０が設けられている。そして、底板１ｃに貫通孔１０が設けられていることにより、後記する空調装置Ａから供給される空調された空気の風量、風向が調整され、貫通孔１０を介して、空調された空気が遊技者Ｍの頭上に供給される（図３参照）。その結果、遊技者Ｍに最適な遊技環境を提供することが可能となる。
【００２８】
図４においては、四角形状の貫通孔１０が設けられた底板１ｃの例として、格子状の板材を記載したが、空調された空気を遊技者Ｍに供給できれば、四角形状以外の貫通孔１０を設けた板材であってもよい。また、後記するように、収納枠部１ａの内部に空調装置Ａ共に照明器具Ｂを備える場合には、貫通孔１０は、空調された空気を遊技者Ｍの頭上に供給する機能と共に、遊技機Ｕａを照明する機能も有する（図３参照）。したがって、照明機能を向上させるために、底板１ｃを透明または半透明の樹脂で形成してもよい。
【００２９】
（接続部）
図３、図４に示すように、接続部１ｂは、収納枠部１ａを遊技機Ｕａの前面よりも前方に突出するように、支持構造体２の上部に収納枠部１ａを庇状に接続、配置するための部材であって、鉄鋼、ステンレス鋼等の金属で形成された略Ｌ字形の断面形状を有する板材である。また、接続部１ｂの剛性を向上させるために、接続部１ｂの両端部には略三角形状の壁部９が設けられていることが好ましい。
【００３０】
接続部１ｂは、その後面側が支持構造体２（支持柱３ａ）の上端部に接続されると共に、その前面側が収納枠部１ａの後面側に接続されている。また、後記するように、支持構造体２の上部に、支持柱３ａと支持柱３ｂとを連結する連結梁４ａが設けられている場合には、接続部１ｂと支持構造体２との接続を強固なものとするために、接続部１ｂの後面側を支持柱３ａだけでなく連結梁４ａにも接続することが好ましい。
【００３１】
前記のブース用フレーム体１Ａにおいて、収納枠部１ａと接続部１ｂとの接続、接続部１ｂと支持構造体２（支持柱３ａ、連結梁４ａ）との接続、さらに、収納枠部１ａと棚部１ｄとの接続、収納枠部１ａと底板１ｃとの接続は、従来公知のネジ止め、ボルト止め、溶接等の接続方法で接続することが好ましい。また、連結板等の接続部材を使用して各部材間を接続してもよい。なお、接続部１ｂ、底板１ｃは、収納枠部１ａを板材から成形加工する際に収納枠部１ａと一体に成形加工したものであってもよい。
【００３２】
＜空調装置＞
図３、図４に示すように、空調装置Ａは、収納枠部１ａの内部に収納されるもので、収納枠部１ａの内部に設けられた棚部１ｄの下面、または、収納枠部１ａの上部内部に、ネジ、ボルト等で取付けられていることが好ましい。そして、空調装置Ａには、市販の空調装置を使用することができる。また、図２に示すように、支持構造体２が複数の遊技機Ｕａ、Ｕａ・・・を支持している場合には、支持構造体２に支持された複数の遊技機Ｕａ、Ｕあ・・・に対応して、１台の遊技機Ｕａに１台の空調装置Ａが配置されることが好ましいが、２台以上の遊技機Ｕａ、Ｕａに１台の空調装置Ａが配置されるようにしてもよい。
【００３３】
＜支持構造体＞
次に、本発明に係るブースが接続される支持構造体について説明する。
図１に示すように、支持構造体２は、遊技機Ｕａの側面側に配置される支持柱３ａを有する形態、具体的には、遊技機Ｕａの左右両側の側面に隣接し、遊技機Ｕａの前面側に配置された２本の支持柱３ａ、３ａから構成され、支持柱３ａ、３ａ間の所定位置に遊技機Ｕａが支持されている形態が好ましい。しかしながら、遊技機Ｕａを支持できれば、支持柱３ａを有する形態に限定されず、例えば、図示しないが、表面に遊技機Ｕａを支持し、底部に脚部を有するパネル材であってもよい。
【００３４】
支持柱３ａを有する支持構造体２について、さらに詳細に説明する。
図３に示すように、支持柱３ａ、３ａは、遊技場の床１１にアンカーボルト（図示せず）等で固定されている。そして、支持された遊技機Ｕａの上方側および下方側はパネル板７ａによって覆われ、遊技機Ｕａの下方側には、遊技機Ｕａの前面側に棚状に突出し、遊技機Ｕａと略同一の幅に延出する膳板８ａが設けられている。
【００３５】
支持柱３ａ、３ａは、支持構造体２の骨格部材であり、コ字形、Ｌ字形、四角形等の断面形状を有する鉄鋼、ステンレス鋼等の金属製角材によって形成されている。パネル板７ａは、支持構造体２の前面を覆う薄いステンレス鋼板等の金属製板材、または化粧板からなる。また、下方側のパネル板７ａは、遊技者Ｍの足元に空間を設けるために、後面側に傾斜していることが好ましい。膳板８ａは、パチンコ玉またはコインを入れる箱、灰皿等を載置するための板材であり、例えば、ステンレス鋼板等の金属製板材によって形成されている。
【００３６】
図２に示すように、支持構造体２は、その剛性の向上のために、支持柱３ａ、３ａの間を連結する連結梁６ａ、６ａが、支持柱３ａの上部および下部（図示せず）に設けられていることが好ましい。連結梁６ａは、支持柱３ａと同様の金属製角材で形成されることが好ましいが、帯状の金属製板材で形成されてもよい。
【００３７】
図２、図３に示すように、支持構造体２は、その剛性の向上にために、遊技機Ｕａの後面側に２本の支持柱３ｂ、３ｂが設けられていることが好ましい。そして、前面側の支持柱３ａ、３ａと後面側の支持柱３ｂ、３ｂとを連結する連結梁４ａ、４ｂが、支持柱３ａ、３ｂの上部および下部に設けられていることが好ましい。また、支持柱３ｂ、３ｂの間を連結する連結梁６ｂ、６ｂが、支持柱３ｂの上部および下部（図示せず）に設けられていることが好ましい。支持柱３ｂ、連結梁４ａ、４ｂおよび連結梁６ｂは、支持柱３ａと同様に金属製角材で形成されることが好ましく、帯状の金属製板材で形成されていてもよい。
【００３８】
支持構造体２には、支持柱３ａ、３ａ側に支持された遊技機Ｕａと背中合わせになるように、支持柱３ｂ、３ｂ間に遊技機Ｕｂを支持してもよい。そして、遊技機Ｕｂの上方側および下方側はパネル板７ｂによって覆われ、遊技機Ｕｂの下方側には、遊技機Ｕｂの前面側に棚状に突出し、遊技機Ｕｂと略同一の幅に延出する膳板８ｂが設けられていてもよい。
【００３９】
パネル板７ｂは、パネル板７ａと同様に、支持構造体２の前面を覆う薄いステンレス鋼板等の金属製板材、または化粧板からなる。また、下方側のパネル板７ｂは、遊技者Ｍの足元に空間を設けるために、後面側に傾斜していることが好ましい（図３参照）。膳板８ｂも、膳板８ａと同様に、パチンコ玉またはコインを入れる箱、灰皿等を載置するための板材であり、例えば、ステンレス鋼板等の金属製板材によって形成されている。
【００４０】
支持構造体２において、支持柱３ａ、３ｂ、連結梁４ａ、４ｂ、連結梁６ａ、６ｂ、パネル板７ａ、７ｂ、膳板８ａ、８ｂ等の部材は、図示しないが、従来公知のネジ止め、ボルト止め、溶接等の接続方法で、各部材間が接続されていることが好ましい。また、連結板等の接続部材を使用して、各部材間を接続してもよい。
【００４１】
次に、本発明に係るブースの好ましい例について説明する。
図３、図４に示すように、本発明に係るブース１は、その内部に空調装置Ａが収納されると共に、空気清浄機Ｄ１および換気扇Ｄ２の少なくとも１つが収納されることが好ましい。これにより、遊技者Ｍの頭上に空気清浄機Ｄ１、換気扇Ｄ２が配置されることとなり、遊技者Ｍ周りの遊技環境（空気清浄度）が改善される。また、照明器具Ｂが収納されていてもよい。これにより、遊技者Ｍの頭上に照明器具Ｂが配置され、空調装置Ａと同様に、遊技機Ｕａ（Ｕｂ）と照明器具Ｂとの距離が短くなり、従来のように照明器具Ｂを天井に設置した場合に比べて、照明器具Ｂの照度を弱くしても、遊技機Ｕａ（Ｕｂ）の明るさが確保される。
【００４２】
空気清浄機Ｄ１または換気扇Ｄ２は、空調装置Ａに並設するように、棚部１ｄの下面にネジ、ボルト等で取付けられ、照明器具Ｂは、空調装置Ａの下面にネジ、ボルト等で取付けられていることが好ましい。しかしながら、この取付配置に限定されず、例えば、空調装置Ａ、空気清浄機Ｄ１、換気扇Ｄ２および照明器具Ｂの全てを所定順序で並設した配置、空気清浄機Ｄ１の下面に照明器具Ｂが取付けられた配置でもよい。
【００４３】
図２に示すように、支持構造体２が複数の遊技機Ｕａ、Ｕａ・・・（Ｕｂ、Ｕｂ・・・）を支持している場合には、支持構造体２に支持された複数の遊技機Ｕａ、Ｕａ・・・（Ｕｂ、Ｕｂ・・・）に対応して、１台の遊技機Ｕａ（Ｕｂ）に１台の空気清浄機Ｄ１、換気扇Ｄ２および照明器具Ｂが配置されることが好ましいが、２台以上の遊技機Ｕａ（Ｕｂ）に１台の空気清浄機Ｄ１、換気扇Ｄ２および照明器具Ｂが配置されるようにしてもよい。なお、空気清浄機Ｄ１、換気扇Ｄ２および照明器具Ｂは、いずれも市販されているものを使用することができる。
【００４４】
図３、図４に示すように、本発明に係るブース１は、その内部に空調装置Ａが収納されると共に、人感センサＣが収納されることが好ましい。これにより、遊技機Ｕａ（Ｕｂ）の前面側に設置された椅子Ｅに座った遊技者Ｍに人感センサＣが反応し、その反応に応じて人感センサＣと電気的に接続された空調装置Ａ、空気清浄機Ｄ１、換気扇Ｄ２または照明器具Ｂが起動する。その結果、遊技者Ｍが椅子Ｅに座っているときだけ、空調装置Ａ、空気清浄機Ｄ１、換気扇Ｄ２または照明器具Ｂが稼働し、稼動時間が短くなる。
【００４５】
人感センサＣは、空調装置Ａの下面で、照明器具Ｂの両側に取付けられていることが好ましい。しかしながら、椅子Ｅに座った遊技者Ｍの頭上で、遊技者Ｍに反応できる位置であれば、空調装置Ａの下面だけでなく、底板１ｃに取付けられていてもよいし、人感センサＣの個数も２つ以外の個数（１つまたは３つ以上）であってもよい。
【図面の簡単な説明】
【００４６】
【図１】本発明に係る遊技機用ブースの斜視図である。
【図２】本発明に係る遊技機用ブースの平面図である。
【図３】本発明に係る遊技機用ブースの側面図である。
【図４】本発明に係る遊技機用ブースの分解斜視図である。
【符号の説明】
【００４７】
１      遊技機用ブース（ブース）
１Ａ    ブース用フレーム体
１ａ    収納枠部
１ｂ    接続部
１ｃ    底板
１ｄ    棚部
２      支持構造体
３ａ、３ｂ  支持柱
Ａ      空調装置
Ｂ      照明器具
Ｃ      人感センサ
Ｄ１    空気清浄機
Ｄ２    換気扇
Ｕａ、Ｕｂ  遊技機
【図１】
2007175146.tif 000003
【図２】
2007175146.tif 000004
【図３】
2007175146.tif 000005
【図４】
2007175146.tif 000006